(57)【要約】【課題】  ＣＤ、ＤＶＤなどの読取、保護機能、及び録音機器を保護する方法を提供する。【解決手段】  録音機器としてコントロールデータゾーンとデータゾーンなどのデータサブストレートを有し、コントロールデータゾーンは複数のブロックがあり、各ブロックには複数のセクターがある。各セクターには複数のバイトがある。また、データゾーンには暗号化されたデータがある。コントロールコードはコントロールデータゾーンに配列する。光学的記憶装置は録音機器をロード、または読むメカニズムを所有する。また、コントロールコードを確認することもでき、コントロールコードが定義可能な場合、コード化されたデータを解読し、出力する。コントロールコードが定義不可能な場合は光学的記憶装置がコード化されたデータを直接出力する。【選択図】  図２
2007207407.tif 000002
【特許請求の範囲】
【請求項１】
読取、保護機能を持つシステムであって、
コントロールデータゾーンとデータゾーンなどのデータサブストレートがある録音機器と、コントロールデータゾーンは複数のブロックがあり、各ブロックには複数のセクターがあること、格セクターには複数のバイトがあること、データゾーンには暗号化されたデータがあること、コントロールコードはコントロールデータゾーンに配列すること、
光学的記憶装置は録音機器をロード、または読むメカニズムを所有する。また、コントロールコードを確認することもでき、コントロールコードが定義可能な場合、コード化されたデータを解読し、出力する。コントロールコードが定義不可能な場合は光学的記憶装置がコード化されたデータを直接出力することを含むことを特徴とする読取、保護機能を持つシステム。
【請求項２】
データサブストレートと透明なサブストレートはポリカーボネートなどのプラスチック素材でできることを特徴とする請求項1に記載する読取、保護機能を持つシステム。
【請求項３】
コントロールデータゾーンは192ブロックあり、一つのブロックは16セクターに分かれる32Kバイトを所有し、つまり各セクターは2Kバイトある。コントロールコードは4~6バイト長く、生産シリアル番号やランダムシリアル番号、または認可番号であることを特徴とする請求項1に記載する読取、保護機能を持つシステム。
【請求項４】
録音機器はCD、CD-R/RW、DVD-ROM、DVD-R/RW、HD DVD-ROM、BD-ROM、BD-R/REまたはHD DVD-R/RWなどであり、光学的記憶装置はCD/DVDプレーヤー、またはレコーダであることを特徴とする請求項1に記載する読取、保護機能を持つシステム。
【請求項５】
録音機器の解読メカニズムと光学的記憶装置の解読メカニズムと共同作動し、録音機器の解読メカニズムはMPEG-1、MPEG-2、MPEG-4、またはReed-Soloman解読メカニズムなどを含む。また、光学的記憶装置の解読メカニズムもMPEG-1、MPEG-2、MPEG-4、またはReed-Soloman解読メカニズムなどを含むことを特徴とする請求項1に記載する読取、保護機能を持つシステム。。
【請求項６】
録音機器を保護する方式であって、
コントロールデータゾーンとデータゾーンなどのデータサブストレートがある録音機器を提供すること、コントロールデータゾーンは複数のブロックがあり、各ブロックには複数のセクターがあること、格セクターには複数のバイトがあること、データゾーンには暗号化されたデータがあること、コントロールデータゾーンにある一つのセクターにコントロールコードを書くこと、主なデータを暗号化し、データゾーンに書くこと、解読メカニズムができる光学的記憶装置を使用すること、光学的記憶装置はコントロールコードを読み、確認することもでき、コントロールコードが定義可能な場合、コード化されたデータを解読し、出力すること、コントロールコードが定義不可能な場合は光学的記憶装置がコード化されたデータを直接出力することで構成されることを特徴とする録音機器を保護する。
【請求項７】
データサブストレートと透明なサブストレートはポリカーボネートなどのプラスチック素材でできてることを特徴とする請求項6に記載する録音機器を保護する方式。
【請求項８】
コントロールデータゾーンは192ブロックあり、一つのブロックは16セクターに分かれる32Kバイトを所有し、つまり各セクターは2Kバイトある。コントロールコードは4~6バイト長く、生産シリアル番号やランダムシリアル番号、または認可番号であることを特徴とする請求項6に記載する録音機器を保護する方式。
【請求項９】
録音機器はCD、CD-R/RW、DVD-ROM、DVD-R/RW、HD DVD-ROM、BD-ROM、BD-R/REまたはHD DVD-R/RWなどであり、光学的記憶装置はCD/DVDプレーヤー、またはレコーダであることを特徴とする請求項6に記載する録音機器を保護する方式。
【請求項１０】
録音機器の解読メカニズムと光学的記憶装置の解読メカニズムと共同作動し、録音機器の解読メカニズムはMPEG-1、MPEG-2、MPEG-4、またはReed-Soloman解読メカニズムなどを含む。また、光学的記憶装置の解読メカニズムもMPEG-1、MPEG-2、MPEG-4、またはReed-Soloman解読メカニズムなどを含むことを特徴とする請求項6に記載する録音機器を保護する方式。
【発明の詳細な説明】
【技術分野】
【０００１】
本発明は読取、保護機能、及び録音機器を保護する方法のシステムである。録音機器はコントロールデータゾーンとコード化されたデータのデータゾーンがある。録音機器が光学的記憶装置にロードされると光学的記憶装置はコード化されたデータを解読し、コントロールコードが定義可能な場合、コード化されたデータは出力される。また、コントロールコードが定義不可能な場合は光学的記憶装置がコード化されたデータを直接出力する。
【背景技術】
【０００２】
一般的に、オーディオと視覚ファイルはサーバーでダウンロードができ、従来の案による単純なセキュリティチェック一つでDVD、またはCDプレーヤーで再生する事ができる。しかし、このようなチェックを行わないユーザーがいるので、DVD/CDの経営者はユーザーにファイルのダウンロード費を請求することができず、許可がされていないDVD/CDの使用が増えている。
【０００３】
現在、このような未許可のコピーを防ぐシステムや解決法は実在する。例えば、米国特許第５９９１４０３号  Aucsmith他は以降の圧縮の為、MPEG互換のビデオのデータをコード化する方式を発覚した。この方式は複数のビデオデータのフレーム（GOP）を検出し、GOPの暗号化のためにGOPに同期する代用、転位と回転を使っているビデオデータに鍵をかける。
【０００４】
米国特許第５９１５０１８号  Aucsmith他はDVD複写防護措置の為に役立つよう、暗号システムと暗号キーの安全な配布と管理の方式を発覚した。DVDディスクの第一部分に圧縮や暗号化された内容が書かれてあり、暗号化キーの内容自体が第二のキーで暗号化され、ディスクの第二の部分のバンドに書かれる。この内容暗号化キーは内容、キーとコントロール情報を提供するのに用いられる。
【０００５】
米国特許第５９９１４０３号は以降の圧縮のためにMPEG互換のビデオデータをコード化するのを明らかにし、米国特許第５９１５０１８号は暗号システムとDVD複写防護措置計画に用いられる暗号キーの安全な配布と管理のための方法を明らかにしている。しかし、これらの特許を受けたテクノロジーは全てCD やDVDの暗号化と解読のため暗号化キーを使用している。しかし、暗号化キーの構成は比較的に複雑であり、CDやDVDの価格を上げるため経営者、映像メーカーやコンピュータ会社に王族料金を更に増やす必要がある。したがって、CDとDVDの価格を下げる事ができなくなる。
【特許文献１】米国特許第５９９１４０３号
【特許文献２】米国特許第５９１５０１８号
【発明の開示】
【発明が解決しようとする課題】
【０００６】
従って、本発明の重要な目的は読取、保護機能を持つシステムを提供することによって従来の機器の欠点を克服する事である。読取、保護機能は録音機器を用いり、録音機器はコントロールデータゾーンとコード化されたデータのデータゾーンがある。録音機器が光学的記憶装置にロードされると光学的記憶装置はコード化されたデータを解読し、コントロールコードが定義可能な場合、コード化されたデータは出力される。また、コントロールコードが定義不可能な場合は光学的記憶装置がコード化されたデータを直接出力する。
【０００７】
もう一つの目的は録音機器保護する方式を提供することによって従来の機械の欠点を克服する事である。録音機器はコントロールデータゾーンとコード化されたデータのデータゾーンがある。録音機器が光学的記憶装置にロードされると光学的記憶装置はコード化されたデータを解読し、コントロールコードが定義可能な場合、コード化されたデータは出力される。また、コントロールコードが定義不可能な場合は光学的記憶装置がコード化されたデータを直接出力する。
【課題を解決するための手段】
【０００８】
以上述べた目的を達成するために読取、保護機能を持つシステムは以下の状態で構成されている：コントロールデータゾーンとデータゾーンなどのデータサブストレートがある録音機器。コントロールデータゾーンは複数のブロックがあり、各ブロックには複数のセクターがある、格セクターには複数のバイトがある。また、データゾーンには暗号化されたデータがある。コントロールコードはコントロールデータゾーンに配列する。光学的記憶装置は録音機器をロード、または読むメカニズムを所有する。また、コントロールコードを確認することもでき、コントロールコードが定義可能な場合、コード化されたデータを解読し、出力する。コントロールコードが定義不可能な場合は光学的記憶装置がコード化されたデータを直接出力する。
【０００９】
以上述べた目的を達成するために録音機器保護する方式は以下の段階で構成している：コントロールデータゾーンとデータゾーンなどのデータサブストレートがある録音機器を提供する；コントロールデータゾーンは複数のブロックがあり、各ブロックには複数のセクターがある、格セクターには複数のバイトがある。また、データゾーンには暗号化されたデータがある；コントロールデータゾーンにある一つのセクターにコントロールコードを書く；主なデータを暗号化し、データゾーンに書く；解読メカニズムができる光学的記憶装置を使用する；光学的記憶装置はコントロールコードを読み、確認することもでき、コントロールコードが定義可能な場合、コード化されたデータを解読し、出力する。コントロールコードが定義不可能な場合は光学的記憶装置がコード化されたデータを直接出力する。
【発明の効果】
【００１０】
録音機器と光学的記憶装置を組み合わせることによって本発明の主な目的、即ち読む保護と、違法コピーの防止を達成することができる。
【発明を実施するための最良の形態】
【００１１】
図1aと図1bは発明を実施するための最良の形態による読取、保護機能を持つシステムのブロック図と拡大された録音機器10の図である。図1aを参照すると読取、保護機能を持つシステムは以下の部分を含む：録音機器10と光学的記憶装置20。
【００１２】
録音機器10はCD、CD-R、DVD-ROM、DVD-R、HDDVD-ROM、BD-ROM、BD-RまたはHDDVD-Rなどであり、コントロールデータゾーン111とデータゾーン112があるデータサブストレート11で構成している。コントロールデータゾーン111は192ブロックなど、複数のブロック113（図1bを参照）を所有する。各ブロック113はセクター16などの複数のセクター114を含む。また、各セクター14は2Kバイトなど複数のバイトを含む。データゾーン112はコンピュータソフトウェアや、イメージファイルまたはオーディオファイルなどの暗号化されたデータがある。また、4〜6バイトの長さのコントロールコード115は一部のセクター114に配列する（例えば最初と2番目のセクター）。コントロールコード115は光学的記憶装置20に認知される為に構成されていて、生産シリアル番号やランダムシリアル番号、またはコンピュータソフトウェアや、イメージファイルまたはオーディオファイルの認可番号にも当てはまる。
【００１３】
データサブストレート11はポリカーボネート（PC）などのプラスチック素材で構成されている。
【００１４】
CD・DVDプレーヤーやレコーダなどの光学的記憶装置20は録音機器10をロードし、コントロールコード115を読み、データゾーン115の暗号化されたデータを解読する解読メカニズムを持っている（表示されていない）。この際光学的記憶装置20の解読メカニズムは録音機器10の解読メカニズムと共同作動する。録音機器10の解読メカニズムはMPEG-1、MPEG-2、MPEG-4、またはReed-Soloman解読メカニズムなどを含む。
【００１５】
本発明の光学記憶装置20は特有な解読メカニズムを持つ特定なシステムである。一般の光学記憶装置は録音機器10のデータゾーン112の暗号化されたデータを解読する解読メカニズムの機能はなく、コントロールデータゾーン111のコントロールコード115をチェックしない。本発明の光学記憶装置20は録音機器10のデータゾーン112の暗号化されたデータを解読する解読メカニズムの機能を所有するだけではなく、また、録音機器10が光学的記憶装置20にロードされる際、コントロールデータゾーン111のコントロールコード115を読み、認知する。これによって、コントロールコード115が4〜6バイトの長さの場合、録音機器10の生産者は生産シリアル番号、ランダムシリアル番号、またはコンピュータソフトウェアや、イメージファイルまたはオーディオファイルの認可番号をコントロールデータゾーン111に書き込むことができる。また、コントロールコードの中のいくつか特有なパターンを持つビットは光学的記憶装置20に認知されるためにある。このように光学的記憶装置20は解読メカニズムがあり、コントロールデータゾーン111のコントロールコード115を認知することができる。また、光学的記憶装置20は暗号化されたデータを解読し、コントロールコード115を認知した場合、このデータを出力する。この際、ユーザーは非デコードスクリーンを見ることになる。従って、録音機器10と光学的記憶装置20を組み合わせることによって本発明の主な目的；読む保護と、違法コピーを防止、を達成することができる。これを理由に、コンテントプロバイダーはCDやDVDの販売価格を下げる気になることを予測する。従って、本発明の読取、保護機能を持つシステムは従来の機械の欠点を克服することができる。
【００１６】
さらに、本発明は録音機器を保護する方法も提供する。図2は、発明を実施するための最良の形態による録音機器を保護する方式のフローチャートである。図が示すように、録音機器を保護する方式は以下の段階で構成している：コントロールデータゾーン111とデータゾーン112などのデータサブストレート11がある録音機器10を提供する；コントロールデータゾーン111は複数のブロック113があり、各ブロック113には複数のセクター114がある、格セクター114には複数のバイトがある。また、データゾーン112には暗号化されたデータがある；一つのセクター114にコントロールコード115を書く（ステップ2）；主なデータを暗号化し、データゾーン112に書く（ステップ3）；解読メカニズムができる光学的記憶装置20を使用する（ステップ4）；録音機器20を光学的記憶装置20にロードする（ステップ5）；光学的記憶装置20はコントロールコード115を読み、確認することもでき、コントロールコードが定義可能な場合、コード化されたデータを解読し、出力する。コントロールコードが定義不可能な場合は光学的記憶装置がコード化されたデータを直接出力する（ステップ6）。
【００１７】
ステップ1〜3のCD、CD-R、DVD-ROM、DVD-R、HDDVD-ROM、BD-ROM、BD-RまたはHDDVD-Rなどの録音機器10は以下の状態で構成されている：コントロールデータゾーン111とデータゾーン112があるデータサブストレート11で構成している。コントロールデータゾーン111は192ブロックなど、複数のブロック113（図1bを参照）を所有する。各ブロック113はセクター16などの複数のセクター114を含む。また、各セクター14は2Kバイトなど複数のバイトを含む。データゾーン112はコンピュータソフトウェアや、イメージファイルまたはオーディオファイルなどの暗号化されたデータがある。また、4〜6バイトの長さのコントロールコード115は一部のセクター114に配列する（例えば最初と2番目のセクター）。コントロールコード115は光学的記憶装置20に認知される為に構成されていて、生産シリアル番号やランダムシリアル番号、またはコンピュータソフトウェアや、イメージファイルまたはオーディオファイルの認可番号にも当てはまる。データサブストレート11はポリカーボネート（PC）などのプラスチック素材で構成されている。
【００１８】
ステップ4では光学的記憶装置20は特有な解読メカニズムを持つ特定なシステムである（表示されていない）。また、コントロールコード115を読み、録音機器10のデータゾーン112の暗号化されたデータを解読する。この際光学的記憶装置20の解読メカニズムは録音機器10の解読メカニズムと共同作動する。録音機器10の解読メカニズムはMPEG-1、MPEG-2、MPEG-4、またはReed-Soloman解読メカニズムなどを含む。また、録音機器20の解読メカニズムもMPEG-1、MPEG-2、MPEG-4、またはReed-Soloman解読メカニズムなどを含む。
【００１９】
ステップ5と6では本発明の光学記憶装置20は録音機器10のデータゾーン112の暗号化されたデータを解読する解読メカニズムの機能を所有するだけではなく、また、録音機器10が光学的記憶装置20にロードされる際、コントロールデータゾーン111のコントロールコード115を読み、認知する。これによって、コントロールコード115が4〜6バイトの長さの場合、録音機器10の生産者は生産シリアル番号、ランダムシリアル番号、またはコンピュータソフトウェアや、イメージファイルまたはオーディオファイルの認可番号をコントロールデータゾーン111に書き込むことができる。また、コントロールコードの中のいくつか特有なパターンを持つビットは光学的記憶装置20に認知されるためにある。このように光学的記憶装置20は解読メカニズムがあり、コントロールデータゾーン111のコントロールコード115を認知することができる。また、光学的記憶装置20は暗号化されたデータを解読し、コントロールコード115を認知した場合、このデータを出力する。この際、ユーザーは非デコードスクリーンを見ることになる。従って、録音機器10と光学的記憶装置20を組み合わせることによって本発明の主な目的；読む保護と、違法コピーを防止、を達成することができる。これを理由に、コンテントプロバイダーはCDやDVDの販売価格を下げる気になることを予測する。従って、本発明の読取、保護機能を持つシステムは従来の機械の欠点を克服することができる。
【００２０】
以上本発明は例や発明を実施するための最良の形態などで説明されたが、決して以上述べた例には限らないという理解が必要である。添付の主張の幅広い範囲として全ての修正や類似の準備や手順を受け入れることを目的とする。
以上の説明をまとめると、本発明は従来の構造よりパフォーマンスを強化し、特許出願の必要条件に応じ、相応した特許権の同意を求め、登録商標特許庁に提供する。
【図面の簡単な説明】
【００２１】
【図１ａ】発明を実施するための最良の形態による読取、保護機能を持つシステムのブロック図。
【図１ｂ】発明を実施するための最良の形態による録音機器10を拡大した図。
【図２】発明を実施するための最良の形態による録音機器を保護する方式のフローチャート。
【符号の説明】
【００２２】
１０  録音機器
１１  データサブストレート
１１１  コントロールデータゾーン
１１２  データゾーン
１１３  ブロック
１１４  セクター
１１５  コントロールコード
１６  セクター
２０  光学的記憶装置
【図１ａ】
2007207407.tif 000003
【図１ｂ】
2007207407.tif 000004
【図２】
2007207407.tif 000005